(57)【要約】ＳＩ（番組配列情報）を記憶するＳＩ保管部（１４）と、ＴＶ（４）に表示されている番組を示す表示番組ＩＤを記憶する表示番組ＩＤ記憶部（１８）と、映像とともに付加的に印刷する付加ＳＩを指定するテーブルを記憶する付加ＳＩ指定テーブル記憶部（２０）と、リモコン（６）からの印刷指示を取得すると、画面データ確保部（１６）に映像データを保持させるとともに、表示番組ＩＤ記憶部（１８）及び付加ＳＩ指定テーブル記憶部（２０）を参照することで付加ＳＩを特定し、その付加ＳＩをＳＩ保管部（１４）から読み出して合成部（１７）に送る印刷制御部（１９）と、画面データ確保部（１６）に保持された映像データと印刷制御部（１９）からの付加ＳＩとを合成して印刷データを生成する合成部（１７）とを備える。
2003071795.tif 000002
【特許請求の範囲】
【請求項１】
伝送路を介して送られてくる配信データを受信する受信手段と、
印刷指示を取得する印刷指示取得手段と、
印刷指示が取得されると、前記受信手段が受信した配信データの中から、当該印刷指示の対象となる配信データを印刷画像として特定するとともに、特定した印刷画像とともに印刷する付加情報を対応づけて特定する印刷対象特定手段と、
対応づけられた前記印刷画像と前記付加情報とを同一の印刷用紙に印刷するための印刷データとして出力する出力手段と
を備えることを特徴とする受信装置。
【請求項２】
前記配信データには、放送による番組が含まれ、
前記受信手段は、さらに、番組に関する情報である番組情報を受信し、
前記印刷対象特定手段は、印刷指示の対象となる番組を特定するとともに、特定した番組に対応する番組情報を前記付加情報として特定する
ことを特徴とする請求の範囲１記載の受信装置。
【請求項３】
前記番組情報には、番組ごとの放送時間、タイトル、番組名、出演者、チャネル及び番組あらすじの少なくとも１つを含み、
前記印刷対象特定手段は、前記放送時間、タイトル、番組名、出演者、チャネル及び番組あらすじの少なくとも１つを前記付加情報として特定する
ことを特徴とする請求の範囲２記載の受信装置。
【請求項４】
前記受信装置は、さらに、前記受信手段で受信された配信データを表示出力又は信号出力する表示出力手段を備え、
前記印刷対象特定手段は、前記印刷指示が取得された時点において前記表示出力手段による表示出力又は信号出力の対象となっている番組の配信データを前記印刷画像として特定する
ことを特徴とする請求の範囲２記載の受信装置。
【請求項５】
前記受信装置は、さらに、前記表示出力手段による表示出力又は信号出力の対象となっている番組を識別する番組識別情報を記憶する番組識別情報記憶手段を備え、
前記印刷対象特定手段は、前記番組識別情報記憶手段に記憶されている番組識別情報が示す番組に対応する番組情報を前記付加情報として特定する
ことを特徴とする請求の範囲４記載の受信装置。
【請求項６】
前記受信装置は、さらに、
選局されているチャネルを示すチャネル情報を記憶するチャネル情報記憶手段と、
現在時刻を示す計時手段とを備え、
前記番組情報には、番組ごとのチャネル及び放送時間が含まれ、
前記印刷対象特定手段は、前記チャネル情報記憶手段に記憶されたチャネル情報が示すチャネルと前記印刷指示が取得された時点における前記計時手段が示す時刻とによって特定される番組に対応する番組情報を前記付加情報として特定する
ことを特徴とする請求の範囲４記載の受信装置。
【請求項７】
前記表示出力手段は、前記配信データをイメージデータとして一時的に保持するバッファ部を有し、
前記出力手段は、前記印刷指示が取得された時点において前記バッファ部に保持されたイメージデータを前記印刷画像として出力する
ことを特徴とする請求の範囲４記載の受信装置。
【請求項８】
前記配信データには、映像データとマークアップ言語で記述された画面表示データとが含まれ、
前記出力手段は、前記映像データと前記画面表示データとを前記印刷画像として出力する
ことを特徴とする請求の範囲４記載の受信装置。
【請求項９】
前記受信手段は、さらに、印刷専用に作成された情報である印刷専用情報を受信し、
前記印刷対象特定手段は、前記印刷専用情報を前記印刷画像として特定する
ことを特徴とする請求の範囲４記載の受信装置。
【請求項１０】
前記番組情報には、番組を構成するシーン又はフレーム画像ごとの説明を記述した記述情報が含まれ、
前記印刷対象特定手段は、前記記述情報を前記付加情報として特定する
ことを特徴とする請求の範囲４記載の受信装置。
【請求項１１】
前記受信装置は、さらに、前記表示出力手段による表示出力又は信号出力の対象となっているシーン又はフレーム画像を特定するシーン特定手段を備え、
前記印刷対象特定手段は、前記シーン特定手段で特定されたシーン又はフレーム画像に対応する記述情報を前記付加情報として特定する
ことを特徴とする請求の範囲１０記載の受信装置。
【請求項１２】
前記シーン特定手段は、前記表示出力手段による表示出力又は信号出力の対象となっている番組と前記印刷指示が取得されたときの時刻とから、前記シーン又は前記フレーム画像を特定する
ことを特徴とする請求の範囲１１記載の受信装置。
【請求項１３】
前記シーン特定手段は、前記印刷指示が取得された時点で選局されているチャネルとそのときの時刻とから、前記シーン又は前記フレーム画像を特定する
ことを特徴とする請求の範囲１１記載の受信装置。
【請求項１４】
前記記述情報は、１以上のフレーム画像に対応づけられたシーンごとの記述情報であり、
前記シーン特定手段は、前記表示出力手段による表示出力又は信号出力の対象となっているフレーム画像が属するシーンを特定する
ことを特徴とする請求の範囲１１記載の受信装置。
【請求項１５】
前記受信装置は、さらに、前記受信手段によって受信された番組及び番組情報を蓄積する蓄積手段を備え、
前記印刷対象特定手段は、前記蓄積手段によって蓄積された番組及び番組情報を対象として、前記印刷画像及び前記付加情報を特定する
ことを特徴とする請求の範囲２記載の受信装置。
【請求項１６】
前記出力手段は、前記印刷画像を印刷本体とし、前記付加情報をヘッダ又はフッタとして前記印刷用紙に印刷するための印刷データを生成し、出力する
ことを特徴とする請求の範囲１記載の受信装置。
【請求項１７】
前記出力手段は、同一の印刷用紙において前記印刷画像と前記付加情報とが横方向に並ぶレイアウトで印刷するための印刷データを生成し、出力する
ことを特徴とする請求の範囲１記載の受信装置。
【請求項１８】
前記出力手段は、対応づけられた前記印刷画像と前記付加情報とを同一の印刷用紙に印刷するための印刷データとして合成した後に、出力する
ことを特徴とする請求の範囲１記載の受信装置。
【請求項１９】
前記出力手段は、前記印刷データを画像形成装置に出力し、
前記画像形成装置は、前記印刷データに含まれる印刷画像と付加情報とを同一の印刷用紙に印刷するためのデータに合成した後に、印刷を行う
ことを特徴とする請求の範囲１記載の受信装置。
【請求項２０】
前記出力手段は、前記印刷画像に前記付加情報が上書きされるように、前記印刷画像と前記付加情報とを印刷データとして合成し、合成した印刷データを出力する
ことを特徴とする請求の範囲１記載の受信装置。
【請求項２１】
前記印刷対象特定手段は、印刷指示の対象となる動画の一画面を印刷画像として特定するとともに、当該動画の著作権の所有者を示す付加情報を前記印刷画像と対応付けて特定する
ことを特徴とする請求の範囲２０記載の受信装置。
【請求項２２】
前記受信装置は、さらに、
前記動画が高画質であるか否かを判定する画質判定手段を備え、
前記印刷対象特定手段は、高画質であると判定された場合に、前記印刷画像と前記付加情報とを対応付けて特定する
ことを特徴とする請求の範囲２１記載の受信装置。
【請求項２３】
前記出力手段は、前記印刷画像に著作権表示の記号と前記付加情報とが上書きされるように、前記印刷画像と前記記号と前記付加情報とを印刷データとして合成し、合成した印刷データを出力する
ことを特徴とする請求の範囲１記載の受信装置。
【請求項２４】
前記出力手段は、前記印刷データに加えて、前記印刷画像の著作権を保護する旨を指示する印刷制御コマンドを出力する
ことを特徴とする請求の範囲１記載の受信装置。
【請求項２５】
印刷画像と付加情報と印刷制御コマンドとを受信する受信手段と、
受信された印刷制御コマンドに基づいて、受信された印刷画像と受信された付加情報とを同一の印刷用紙に印刷するための印刷データに合成する合成手段と、
合成された印刷データを印刷する印刷手段と
を備えることを特徴とする画像形成装置。
【請求項２６】
前記合成手段は、前記印刷画像を印刷本体とし、前記付加情報をヘッダ又はフッタとして合成する
ことを特徴とする請求の範囲２５記載の画像形成装置。
【請求項２７】
前記合成手段は、前記印刷制御コマンドが前記印刷画像の著作権を保護する旨を指示する場合に、前記印刷画像に前記付加情報が上書きされるように、前記印刷画像と前記付加情報とを合成する
ことを特徴とする請求の範囲２５記載の画像形成装置。
【請求項２８】
前記合成手段は、前記印刷制御コマンドが前記印刷画像の著作権を保護する旨を指示する場合に、前記印刷画像に著作権表示の記号と前記付加情報とが上書きされるように前記印刷画像と前記記号と前記付加情報とを合成する
ことを特徴とする請求の範囲２５記載の画像形成装置。
【請求項２９】
受信装置と画像形成装置とからなる印刷システムであって、
前記受信装置は、
伝送路を介して送られてくる配信データを受信する受信手段と、
印刷指示を取得する印刷指示取得手段と、
印刷指示が取得されると、前記受信手段が受信した配信データの中から、当該印刷指示の対象となる配信データを印刷画像として特定するとともに、特定した印刷画像とともに印刷する付加情報を対応づけて特定する印刷対象特定手段と、
対応づけられた前記印刷画像と前記付加情報とを前記画像形成装置に出力する出力手段とを備え、
前記画像形成装置は、
前記受信装置から出力された印刷画像と付加情報とを受信する受信手段と、
受信された印刷画像と付加情報とを同一の印刷用紙に印刷する印刷手段と
を備えることを特徴とする印刷システム。
【請求項３０】
前記印刷手段は、前記印刷画像と前記付加情報とを同一の印刷用紙に印刷するためのデータに合成した後に、前記印刷を行う
ことを特徴とする請求の範囲２９記載の印刷システム。
【請求項３１】
前記印刷手段は、前記印刷画像を印刷本体とし、前記付加情報をヘッダ又はフッタとして前記印刷用紙に印刷する
ことを特徴とする請求の範囲３０記載の印刷システム。
【請求項３２】
前記印刷手段は、同一の印刷用紙に前記印刷画像と前記付加情報とが横方向に並ぶレイアウトで印刷する
ことを特徴とする請求の範囲３０記載の印刷システム。
【請求項３３】
受信装置と画像形成装置とからなる印刷システムであって、
前記受信装置は、
伝送路を介して放送されてくる番組を示す配信データと番組に関する情報である番組情報とを受信する受信手段と、
前記受信手段により受信された配信データを表示出力又は信号出力する表示出力手段と、
前記受信手段により受信された番組情報を記憶する番組情報記憶手段と、
前記表示出力手段による表示出力又は信号出力の対象となっている番組を識別する番組識別情報を記憶する番組識別情報記憶手段と、
印刷指示を取得する印刷指示取得手段と、
印刷指示が取得されると、前記表示出力手段による表示出力又は信号出力の対象となっている配信データを印刷画像として特定するとともに、前記番組識別情報記憶手段に記憶されている番組識別情報が示す番組に対応する番組情報を前記番組情報記憶手段から読み出し、読み出した番組情報を前記印刷画像とともに印刷する付加情報として対応づけて特定する印刷対象特定手段と、
対応づけられた前記印刷画像と前記付加情報とを同一の印刷用紙に印刷するための印刷データとして合成した後に、前記画像形成装置に出力する出力手段とを備え、
前記画像形成装置は、
前記受信装置から送られてくる印刷データを受信し、印刷用紙に印刷する印刷手段を備える
ことを特徴とする印刷システム。
【請求項３４】
受信装置と画像形成装置とからなる印刷システムであって、
前記受信装置は、
伝送路を介して放送されてくる番組を示す配信データと番組に関する情報である番組情報とを受信する受信手段と、
前記受信手段により受信された配信データを表示出力又は信号出力する表示出力手段と、
前記受信手段により受信された番組情報を記憶する番組情報記憶手段と、
前記表示出力手段による表示出力又は信号出力の対象となっている番組を識別する番組識別情報を記憶する番組識別情報記憶手段と、
印刷指示を取得する印刷指示取得手段と、
印刷指示が取得されると、前記表示出力手段による表示出力又は信号出力の対象となっている配信データを印刷画像として特定するとともに、前記番組識別情報記憶手段に記憶されている番組識別情報が示す番組に対応する番組情報を前記番組情報記憶手段から読み出し、読み出した番組情報を前記印刷画像とともに印刷する付加情報として対応づけて特定する印刷対象特定手段と、
対応づけられた前記印刷画像と前記付加情報とを前記画像形成装置に出力する出力手段とを備え、
前記画像形成装置は、
前記受信装置から送られてくる印刷画像と付加情報とを受信し、受信した印刷画像と付加情報とを同一の印刷用紙に印刷する印刷手段を備える
ことを特徴とする印刷システム。
【請求項３５】
サーバ装置から伝送路を介してコンテンツの配信を受ける携帯電話機であって、
前記サーバ装置が提供するコンテンツを識別する識別情報とコンテンツに関する情報であるカタログ情報とを受信して記憶する記憶手段と、
受信された識別情報の中から操作者が選択した識別情報を前記サーバ装置に送信することによってコンテンツの配信を要求し、配信されてきたコンテンツを受信して表示するコンテンツ取得表示手段と、
印刷指示を取得する印刷指示取得手段と、
印刷指示が取得されると、前記コンテンツ取得表示手段により表示されている画像を印刷画像として特定するとともに、操作者が選択した前記識別情報に対応するコンテンツのカタログ情報を前記記憶手段から読み出し、読み出したカタログ情報を前記印刷画像とともに印刷する付加情報として対応づけて特定する印刷対象特定手段と、
対応づけられた前記印刷画像と前記付加情報とを同一の印刷用紙に印刷するための印刷データとして合成した後に出力する印刷出力手段とを備える
ことを特徴とする携帯電話機。
【請求項３６】
伝送路を介して送られてくる配信データを受信する受信ステップと、
印刷指示を取得する印刷指示取得ステップと、
印刷指示が取得されると、前記受信ステップで受信した配信データの中から、当該印刷指示の対象となる配信データを印刷画像として特定するとともに、特定した印刷画像とともに印刷する付加情報を対応づけて特定する印刷対象特定ステップと、
対応づけられた前記印刷画像と前記付加情報とを同一の印刷用紙に印刷するための印刷データとして出力する出力ステップと
を含むことを特徴とする配信データ受信方法。
【請求項３７】
受信装置と画像形成装置とからなるシステムにおける印刷方法であって、
前記受信装置において、
伝送路を介して送られてくる配信データを受信する受信ステップと、
印刷指示を取得する印刷指示取得ステップと、
印刷指示が取得されると、前記受信ステップで受信した配信データの中から、当該印刷指示の対象となる配信データを印刷画像として特定するとともに、特定した印刷画像とともに印刷する付加情報を対応づけて特定する印刷対象特定ステップと、
対応づけられた前記印刷画像と前記付加情報とを前記画像形成装置に出力する出力ステップと、
前記画像形成装置において、
前記配信データ受信訴追から出力された印刷画像と付加情報とを受信する受信ステップと、
受信された印刷画像と付加情報とを同一の印刷用紙に印刷する印刷ステップと
を含むことを特徴とする印刷方法。
【請求項３８】
コンピュータを受信装置として機能させるためのプログラムであって、
伝送路を介して送られてくる配信データを受信する受信手段と、
印刷指示を取得する印刷指示取得手段と、
印刷指示が取得されると、前記受信手段が受信した配信データの中から、当該印刷指示の対象となる配信データを印刷画像として特定するとともに、特定した印刷画像とともに印刷する付加情報を対応づけて特定する印刷対象特定手段と、
対応づけられた前記印刷画像と前記付加情報とを同一の印刷用紙に印刷するための印刷データとして出力する出力手段
としてコンピュータを機能させることを特徴とするプログラム。
【発明の詳細な説明】
技術分野
本発明は、伝送路を介して送られてくる配信データを受信する受信装置等に関し、特に、印刷データとして出力する機能を備える受信装置等に関する。
背景技術
伝送路を介して送られてくる配信データを受信する装置として代表的なものにテレビ受像機があるが、気に入った映像がテレビ画面に表示されているときに、その映像をプリンタ装置に出力することで印刷して保存しておきたいことがある。従来、テレビ画面に表示されている映像のハードコピーをとる方法として、ビデオプリンタを用いる方法がある。テレビ受像機に入力されている映像信号を分岐させてビデオプリンタにも接続しておき、気に入った場面がテレビ画面に映し出されているときに、ビデオプリンタの印刷ボタンを押すことで、好みのシーンが印刷されたプリント用紙を得ることができる。そして、そのプリント用紙の余白に、番組名や放送時間等のメモ書きをしておけば、その印刷出力が何のシーンであったかを忘れることがないし、整理にも役立つ。
しかしながら、画面のハードコピーをとる度にプリント用紙に番組名や放送時間等の付加情報を手で書き込むのは、めんどうであり、誤った内容を書き込んでしまうこともある。また、整った字できれいに書き込むことが困難である。特に、ハードコピーをとる回数が多くなってきた場合には、極めて煩雑な作業になってくる。
ここで、文書等の印刷出力と並行して付加情報を自動的に印刷させる手法として、パソコン等のコンピュータで用いるいわゆるワープロソフトが備えるヘッダやフッタの機能を利用する方法が考えられる。文書等を印刷する際に、ヘッダやフッタを付加することで、印刷日時やファイル名等の付加情報を印刷用紙の余白に印刷することができる。しかしながら、この場合には、ヘッダやフッタとして印刷される付加情報は印刷の対象となる文書内に含まれている必要がある。つまり、ヘッダやフッタとなる付加情報と文書本体とは予め明確に対応づけられ、一体化されている必要がある。
ところが、テレビ放送においては、番組とその付加情報とは一体化した状態で送られてこないために、このようなワープロソフトが備えるヘッダ及びフッダの機能を流用して付加情報の自動印刷を実現することは困難である。
そこで、本発明は、このような状況に鑑みてなされたものであり、テレビ放送等の受信装置であって、特別な操作をすることなく、受信したデータをその付加情報とともに印刷出力させることが可能な便利な印刷出力機能を備えた受信装置等を提供することを目的とする。
発明の開示
上記目的を達成するために、本発明に係る受信装置は、伝送路を介して送られてくる配信データを受信する受信手段と、印刷指示を取得する印刷指示取得手段と、印刷指示が取得されると、前記受信手段が受信した配信データの中から、当該印刷指示の対象となる配信データを印刷画像として特定するとともに、特定した印刷画像とともに印刷する付加情報を対応づけて特定する印刷対象特定手段と、対応づけられた前記印刷画像と前記付加情報とを同一の印刷用紙に印刷するための印刷データとして出力する出力手段とを備えることを特徴とする。
これによって、受信された配信データと付加情報とが自動的に対応づけられ、印刷データとして出力されるので、視聴者は、印刷指示を発するだけで、印刷画像と付加情報とが同一の用紙に印刷された用紙を得ることができ、コメント等を手書きする作業が不要となる。
ここで、前記配信データには、放送による番組が含まれ、前記受信手段は、さらに、番組に関する情報である番組情報を受信し、前記印刷対象特定手段は、印刷指示の対象となる番組を特定するとともに、特定した番組に対応する番組情報を前記付加情報として特定してもよい。例えば、前記番組情報には、番組ごとの放送時間、タイトル、番組名、出演者、チャネル及び番組あらすじの少なくとも１つを含み、前記印刷対象特定手段は、前記放送時間、タイトル、番組名、出演者、チャネル及び番組あらすじの少なくとも１つを前記付加情報として特定してもよい。これによって、視聴者は、番組の特定場面で印刷指示を発するだけで、タイトル等の番組に関連する情報の印刷が伴った画面の印刷出力を得ることができる。
また、前記受信装置は、さらに、前記受信手段で受信された配信データを表示出力又は信号出力する表示出力手段を備え、前記印刷対象特定手段は、前記印刷指示が取得された時点において前記表示出力手段による表示出力又は信号出力の対象となっている番組の配信データを前記印刷画像として特定してもよい。
ここで、表示されている番組の特定方法として、前記受信装置が、さらに、前記表示出力手段による表示出力又は信号出力の対象となっている番組を識別する番組識別情報を記憶する番組識別情報記憶手段を備え、前記印刷対象特定手段は、前記番組識別情報記憶手段に記憶されている番組識別情報が示す番組に対応する番組情報を前記付加情報として特定してもよいし、前記受信装置が、さらに、選局されているチャネルを示すチャネル情報を記憶するチャネル情報記憶手段と、現在時刻を示す計時手段とを備え、前記番組情報には、番組ごとのチャネル及び放送時間が含まれ、前記印刷対象特定手段は、前記チャネル情報記憶手段に記憶されたチャネル情報が示すチャネルと前記印刷指示が取得された時点における前記計時手段が示す時刻とによって特定される番組に対応する番組情報を前記付加情報として特定してもよい。これによって、表示出力されている配信データが印刷の対象となるので、視聴者は、表示されている配信データを見ながら、印刷の対象を特定することができる。
また、印刷の対象となるデータは、フレームバッファ等に保持されたイメージデータであってもよいし、マークアップ言語で記述された放送データであってもよいし、印刷専用に作成された印刷専用情報であってもよい。
また、前記番組情報には、番組を構成するシーン又はフレーム画像ごとの説明を記述した記述情報が含まれ、前記印刷対象特定手段は、前記記述情報を前記付加情報として特定してもよい。つまり、前記受信装置は、さらに、前記表示出力手段による表示出力又は信号出力の対象となっているシーン又はフレーム画像を特定するシーン特定手段を備え、前記印刷対象特定手段は、前記シーン特定手段で特定されたシーン又はフレーム画像に対応する記述情報を前記付加情報として特定してもよい。
ここで、シーン又はフレーム画像の特定方法として、前記シーン特定手段が、前記表示出力手段による表示出力又は信号出力の対象となっている番組と前記印刷指示が取得されたときの時刻とから、前記シーン又は前記フレーム画像を特定しもよいし、前記シーン特定手段が、前記印刷指示が取得された時点で選局されているチャネルとそのときの時刻とから、前記シーン又は前記フレーム画像を特定してもよいし、前記記述情報が、１以上のフレーム画像に対応づけられたシーンごとの記述情報であり、前記シーン特定手段は、前記表示出力手段による表示出力又は信号出力の対象となっているフレーム画像が属するシーンを特定してもよい。
これによって、番組単位ではなく、シーン又はフレーム画像の単位で、そのシーン又はフレーム画像を説明する記述情報が印刷画像とともに印刷出力されるので、同一番組において異なるタイミングで複数のハードコピーをとった場合であっても、そこに印刷される付加情報は、シーンやフレーム画像ごとに異なった内容となり、それら複数のハードコピーを容易に区別し、整理することができる。
また、前記受信装置は、さらに、前記受信手段によって受信された番組及び番組情報を蓄積する蓄積手段を備え、前記印刷対象特定手段は、前記蓄積手段によって蓄積された番組及び番組情報を対象として、前記印刷画像及び前記付加情報を特定してもよい。
また、印刷画像と付加情報の印刷位置としては、前記印刷画像を印刷本体とし、前記付加情報をヘッダ又はフッタとしてもよいし、同一の印刷用紙において前記印刷画像と前記付加情報とが横方向に並ぶレイアウトであってもよい。
また、前記出力手段は、対応づけられた前記印刷画像と前記付加情報とを同一の印刷用紙に印刷するための印刷データとして合成した後に、出力してもよいし、前記印刷データを受けとった画像形成装置において、前記印刷データに含まれる印刷画像と付加情報とを同一の印刷用紙に印刷するためのデータに合成した後に、印刷を行ってもよい。
さらに、本発明は、サーバ装置から伝送路を介してコンテンツの配信を受ける携帯電話機であって、前記サーバ装置が提供するコンテンツを識別する識別情報とコンテンツに関する情報であるカタログ情報とを受信して記憶する記憶手段と、受信された識別情報の中から操作者が選択した識別情報を前記サーバ装置に送信することによってコンテンツの配信を要求し、配信されてきたコンテンツを受信して表示するコンテンツ取得表示手段と、印刷指示を取得する印刷指示取得手段と、印刷指示が取得されると、前記コンテンツ取得表示手段により表示されている画像を印刷画像として特定するとともに、操作者が選択した前記識別情報に対応するコンテンツのカタログ情報を前記記憶手段から読み出し、読み出したカタログ情報を前記印刷画像とともに印刷する付加情報として対応づけて特定する印刷対象特定手段と、対応づけられた前記印刷画像と前記付加情報とを同一の印刷用紙に印刷するための印刷データとして合成した後に出力する印刷出力手段とを備える携帯電話機として実現することもできる。
これによって、テレビ放送だけでなく、インターネット等を介したストリーム配信等によって携帯電話機にコンテンツをダウンロードしながら画面で映像を楽しんでいるときに、気に入った画像や情報が表示された瞬間に印刷指示を発することで、携帯電話機に接続されたプリンタ装置又はインターネット上のプリンタ装置等にその画像や情報ととともにコンテンツのタイトルや配信日時等の付加情報を同時に印刷出力させることができ、屋外においても、屋内と同様に、付加情報が伴った便利な印刷出力を得ることが可能となる。
以上のように、本発明により、特別な操作をすることなく、付加情報がヘッダ等に印刷された画面のハードコピーが得られ、特に、デジタル放送やインターネットによるコンテンツ配信が普及してきた今日における本発明の実用的価値は極めて高い。
また、前記出力手段は、前記印刷画像に著作権表示の記号と前記付加情報とが上書きされるように、前記印刷画像と前記記号と前記付加情報とを印刷データとして合成し、合成した印刷データを出力するとしてもよい。これにより、印刷画像に著作権表示の記号と前記付加情報とが強制的に上書きされるので、印刷画像の著作権を保護することができる。また、受信装置側で印刷データを合成するので、印刷データを印刷する画像形成装置の処理負荷を低減することができる。
さらに、前記合成手段は、前記印刷制御コマンドが前記印刷画像の著作権を保護する旨を指示する場合に、前記印刷画像に著作権表示の記号と前記付加情報とが上書きされるように前記印刷画像と前記記号と前記付加情報とを合成するとしてもよい。これにより、画像形成装置側で、印刷画像に著作権表示の記号と前記付加情報とが上書きされるように印刷画像と著作権表示の記号と前記付加情報とを合成することができるので、印刷画像の著作権を保護するとともに、画像形成装置があらかじめ保持しているフォントにより、美しい文字表示で著作権表示等を印刷することができる。
なお、本発明は、上記のような受信装置や携帯電話機として実現することができるだけでなく、受信装置又は携帯電話機と画像形成装置とからなる印刷システムとして実現したり、上記受信装置や画像形成装置、携帯電話機が備える手段をコンピュータに機能させるプログラムとして実現することもできる。そして、そのようなプログラムは、ＣＤ−ＲＯＭ等の記録媒体やインターネット等の伝送媒体を介して広く流通させることもできるのは言うまでもない。
発明を実施するための最良の形態
以下、本発明の実施の形態について図面を用いて詳細に説明する。
（実施の形態１）
図１は、本発明の実施の形態１に係る印刷システム１の構成を示す機能ブロック図である。この印刷システム１は、非蓄積データを印刷の対象とするシステム、つまり、そのときに放送され受信されてテレビ画面に表示された映像等を番組名等の付加情報とともに印刷することができるシステムであり、アンテナ２、デジタル放送受信装置３、ＴＶ４、プリンタ装置５及びリモコン６から構成される。
アンテナ２は、デジタルテレビ放送用のパラボラアンテナ等である。ＴＶ４は、デジタル放送受信装置３からの映像信号を表示するテレビジョン受像機等である。リモコン６は、デジタル放送受信装置３及びＴＶ４に対する一般的な操作をするためのボタンだけでなく、デジタル放送受信装置３に対する印刷指示を発する専用ボタンも備えていてもよい。
プリンタ装置５は、デジタル放送受信装置３から送られてくる印刷データを蓄積するとともに、蓄積した印刷データを解読し、ラスタライズするプリンタコントローラ５１と、ラスタライズによって得られたイメージデータを用紙５３に印刷出力するプリンタエンジン５２等から構成される。
デジタル放送受信装置３は、アンテナ２からの信号に対する受信・選局処理を施し、映像信号をＴＶ４に送出するとともに、視聴者からの印刷指示が発せられた時点でＴＶ４に表示されている映像を印刷データとしてプリンタ装置５に出力する機能を有するセットトップボックス（ＳＴＢ）等のデジタル放送受信機であり、放送受信部１０、信号分離部１１、ストリーム処理部１２、データ放送処理部１３、ＳＩ保管部１４、映像Ｉ／Ｆ部１５、画面データ確保部１６、合成部１７、表示番組ＩＤ記憶部１８、印刷制御部１９、付加ＳＩ指定テーブル記憶部２０及びプリンタＩ／Ｆ部２１から構成される。
放送受信部１０は、チューナや復調器等である。信号分離部１１は、放送受信部１０から送られてくる受信データをデコードし、エレメンタリストリームや制御情報等に分離するＴＳ（トランスポートストリーム）デコーダ等であり、分離・抽出した動画及び音声ストリームをストリーム処理部１２に出力し、データ放送用のデータストリームをデータ放送処理部１３に出力し、ＳＩ（サービスインフォメーション；番組配列情報）をＳＩ保管部１４に出力する。
ストリーム処理部１２は、信号分離部１１から送られてくる動画及び音声ストリームをデコードし、映像Ｉ／Ｆ部１５及び画面データ確保部１６に出力するＭＰＥＧデコーダ等であり、デコードによって得られた動画プレーン（イメージデータ）を一時的に保持するフレームバッファ等を有する。
データ放送処理部１３は、信号分離部１１から送られてくるデータストリームを解読・展開し、映像Ｉ／Ｆ部１５及び画面データ確保部１６に出力する処理部であり、展開によって得られた静止画プレーン及び文字プレーン等のイメージデータを一時的に保持するバッファメモリ等を有する。このデータストリームは、例えば、ＢＭＬ（Ｂｒｏａｄｃａｓｔ  Ｍａｒｋｕｐ  Ｌａｎｇｕａｇｅ）で記述された放送データであり、動画、静止画、文字等が含まれる。
ＳＩ保管部１４は、信号分離部１１から送られてくるＳＩを記憶するとともに、印刷制御部１９からの指示に基づいて、記憶しているＳＩを映像Ｉ／Ｆ部１５及び印刷制御部１９に出力する。図２は、ＳＩ保管部１４に格納されているＳＩ１４ａの例を示す図である。ＳＩ１４ａは、番組の放送に先立って放送者が視聴者に提供する番組情報であり、コンテンツ（番組）ごとの「番組ＩＤ」、「放送時間」、「タイトル」、「出演者」、「チャネル」等の集まりである。番組ＩＤ（「Ａ１２３４」等）は、その時点で放送されている全ての番組の中から１つを識別するユニークな記号である。本実施の形態では、この番組ＩＤをキーとして、このＳＩ保管部１４に格納されているＳＩが表示映像と関連づけられ、付加情報として映像とともに印刷出力される。
映像Ｉ／Ｆ部１５は、ストリーム処理部１２から送られてくる動画及び音声データ、データ放送処理部１３から送られてくる静止画及び文字データ等、ＳＩ保管部１４から送られてくるＳＩを受け取り、画像合成等をすることによって、動画用の表示エリア（動画表示エリア）とデータ放送用の表示エリア（データ表示エリア）とが混在したＬ字型画面等の映像信号を生成し、音声信号とともにＴＶ４に出力する信号処理部である。
画面データ確保部１６は、視聴者が印刷指示を発した旨の通知を印刷制御部１９から受信すると、その時点で表示の対象となっている映像、即ち、ストリーム処理部１２のフレームバッファに保持されている動画データやデータ放送処理部１３のバッファメモリに保持されている静止画や文字データ等を読み出し、印刷の対象となる映像データとして一時的に保持するバッファメモリ等である。
合成部１７は、印刷制御部１９からの通知（付加ＳＩとその印刷位置を示す情報）を受信すると、画面データ確保部１６に保持されている映像データを読み出し、それら付加ＳＩと映像データとを合成することで、映像データが示す映像を印刷の中心（印刷本体）とし、付加ＳＩを付加情報として印刷用紙５３のヘッダやフッタ等の位置にレイアウトした印刷データを生成し、その旨を印刷制御部１９に伝える。なお、付加ＳＩとは、ＳＩ保管部１４に記憶されているＳＩのうち、印刷の対象として指定されているもの（例えば、番組のタイトル等）をいう。また、ここでの合成とは、例えば、印刷本体が映像データ（イメージデータ）であり、そのヘッダ等が付加ＳＩ（テキストデータ）である旨を記述した印刷制御スクリプトとデータ自体（映像データ及びＳＩ）とを含む１つの印刷データ（１つの印刷ジョブ）を、プリンタ装置５が解釈できるフォーマットで生成する処理である。
表示番組ＩＤ記憶部１８は、その時点でＴＶ４に表示されている番組を一意に識別する情報（表示番組ＩＤ）を記憶するメモリ等であり、放送受信部１０や信号分離部１１により、選局処理と連動して書き換えられる。この「表示番組ＩＤ」は、例えば、ＥＰＧ（Ｅｌｅｃｔｒｏｎｉｃ  Ｐｒｏｇｒａｍ  Ｇｕｉｄｅ；電子番組表）を用いて視聴者が選局した番組のＩＤであり、ＳＩを構成する「番組ＩＤ」と同一の情報である。つまり、表示番組ＩＤ記憶部１８に格納されている「表示番組ＩＤ」は、現に放送され、選局されている番組であり、ＳＩ保管部１４に格納されているＳＩ１４ａとして記録されている「番組ＩＤ」のいずれかに一致する。
なお、本実施の形態では、デジタル放送受信装置３は、放送されてきた番組を蓄積するハードディスク等の大容量記憶装置を有しておらず、そのときに受信されている番組（非蓄積データ）がリアルタイムにＴＶ４に表示されるともに、印刷の対象となる。
印刷制御部１９は、リモコン６による印刷指示を受信すると、ＳＩ保管部１４、表示番組ＩＤ記憶部１８及び付加ＳＩ指定テーブル記憶部２０に格納された情報を参照し、画面データ確保部１６、合成部１７及びプリンタＩ／Ｆ部２１を制御することで、印刷指示を受信した時点においてＴＶ４に表示されている映像と付加ＳＩ指定テーブル記憶部２０の内容によって定まる付加ＳＩとを合成した印刷データがプリンタ装置５に出力されるように制御するＣＰＵ等である。
付加ＳＩ指定テーブル記憶部２０は、付加ＳＩとその印刷位置との組を指定するテーブル（付加ＳＩ指定テーブル）を記憶しているメモリ等であり、視聴者との対話によって予め設定されたり、書き換えられたりする。図３は、付加ＳＩ指定テーブル記憶部２０に格納されている付加ＳＩ指定テーブル２０ａの例を示す図である。この例では、印刷の対象となった番組の「チャネル」を印刷用紙５３のヘッダの左位置に印刷し、「タイトル」をヘッダの中央位置に印刷し、「出演者」をフッタの中央位置に印刷する旨の指定がされている。
プリンタＩ／Ｆ部２１は、印刷制御部１９からの印刷出力指示を受信すると、合成部１７から印刷データを読み出し、プリンタケーブル等で接続されたプリンタ装置５に転送するＩＥＥＥ１３９４等のインターフェース回路である。
次に、以上のように構成された印刷システム１の動作について説明する。
図４は、印刷システム１の印刷動作を示すフローチャートである。
まず、印刷制御部１９は、リモコン６の印刷専用ボタン等による印刷指示を受信すると（ステップＳ１０）、その旨を画面データ確保部１６に通知することで、その時点でＴＶ４に表示されている映像（動画及びデータ）を保持させる（ステップＳ１１）。そして、表示番組ＩＤ記憶部１８に記憶されている表示番組ＩＤを読み出すことで、その時点でＴＶ４に表示されていた番組を特定するとともに（ステップＳ１２）、付加ＳＩ指定テーブル記憶部２０に記憶されている付加ＳＩ指定テーブル２０ａを読み出すことで、全ての付加ＳＩと印刷位置とを特定する（ステップＳ１３）。
続いて、印刷制御部１９は、表示番組ＩＤ記憶部１８から読み出した表示番組ＩＤが示す番組のＳＩ（表示番組ＩＤと同じ番組ＩＤのＳＩ）のうち、付加ＳＩ指定テーブル記憶部２０から読み出した付加ＳＩ指定テーブル２０ａで指定されている全ての項目（付加ＳＩ）の内容をＳＩ保管部１４から読み出し（ステップＳ１４）、読み出した付加ＳＩとその印刷位置を示す情報とを合成部１７に送る。例えば、表示番組ＩＤ記憶部１８に表示番組ＩＤ「Ａ１２３４」が格納され、付加ＳＩ指定テーブル記憶部２０に図３のような付加ＳＩ指定テーブル２０ａが格納されている場合には、印刷制御部１９は、ＳＩ保管部１４に格納されているＳＩ１４ａの番組ＩＤを検索することで、番組ＩＤが「Ａ１２３４」である番組のＳＩを特定し、そのＳＩの中から付加ＳＩ（チャネル「ＢＳ１２３」、タイトル「富士山と男」及び出演者「山本富士男」）を読み出し、それらの印刷位置（「ヘッダの左」、「ヘッダの中央」及び「フッタの中央」）とともに合成部１７に送る。
合成部１７は、印刷制御部１９から送られてきた付加ＳＩとその印刷位置を示す情報に基づいて、付加ＳＩと画面データ確保部１６から読み出した映像とを合成することによって、印刷データを生成する。このとき、付加ＳＩについては、印刷制御部１９から通知された印刷位置に印刷されることとなるように合成する（ステップＳ１５）。合成が完了すると、その旨を印刷制御部１９に通知する。
合成が完了した旨の通知を受けた印刷制御部１９は、プリンタＩ／Ｆ部２１に出力指示を発することで、合成部１７で生成された印刷データをプリンタＩ／Ｆ部２１を介してプリンタ装置５に出力させる（ステップＳ１６）。印刷データを受け取ったプリンタ装置５では、プリンタコントローラ５１は、印刷データを解読することによって、印刷データに含まれる映像データが示す映像を印刷本体とし、付加ＳＩをヘッダやフッタ等の付加情報とするイメージデータに展開し、続いて、プリンタエンジン５２は、そのイメージデータを印刷用紙５３に印刷する。
その結果、例えば、番組ＩＤ「Ａ１２３４」の番組「富士山と男」が視聴されているときに印刷指示が発せられた場合には、そのときの映像がプリンタ装置５によって用紙５３に印刷出力されるとともに、その番組のチャネル「ＢＳ１２３」がその用紙５３のヘッダの左部に印字され、タイトル「富士山と男」がその用紙５３のヘッダの中央部に印刷され、出演者「山本富士男」がその用紙５３のフッタの中央部に印刷される。
このようにして、視聴者は、リモコン６で印刷指示したときにＴＶ４に表示されていた番組の映像のハードコピーに、その番組に関連する情報（ＳＩ）がヘッダ等として付加された印刷出力を得ることができる。したがって、視聴者は、出力されたプリント用紙に番組名等のメモ書きをしておく手間から解放される。
次に、デジタル放送受信装置３が受信する放送コンテンツ又は放送データの種類ごとの具体的な印刷処理及び印刷例について説明する。
（１）放送コンテンツに動画とデータ放送コンテンツが含まれる場合
図５は、放送コンテンツに動画とデータ放送コンテンツが含まれる場合における印刷データの生成プロセスを示す図である。このケースでは、デジタル放送受信装置３の印刷制御部１９は、リモコン６の印刷専用ボタンによる印刷指示を受信すると、その旨を画面データ確保部１６に通知することで、その時点でＴＶ４に表示されている映像、つまり、動画プレーン及びグラフィックプレーン（データ放送で表示されている静止画やテキスト等のデータ）を保持（ロック）させた後に（図中の▲１▼）、表示番組ＩＤ記憶部１８に記憶されている表示番組ＩＤを読み出すことで、その時点でＴＶ４に表示されていた番組を特定する（図中の▲２▼）。そして、付加ＳＩ指定テーブル記憶部２０に格納されている付加ＳＩ指定テーブル２０ａを参照することで付加ＳＩの項目（例えば、番組の「タイトル」等）を特定した後に、前記表示番組ＩＤが示すＳＩのうち、前記付加ＳＩの内容（例えば、「富士山と男」等）をＳＩ保管部１４から読み出す（図中の▲４▼）。その後、印刷制御部１９に読み出された付加ＳＩと画面データ確保部１６に保持された映像とは、合成部１７で合成され、プリンタ装置５に転送されて印刷出力される。
図６は、放送コンテンツに動画とデータ放送コンテンツが含まれる場合におけるＴＶ４での表示とプリンタ装置５での印刷出力との関係を示す図である。いま、ＴＶ４の画面に、Ｌ字型表示によって、データエリアに静止画及び文字が表示され、動画エリアにある番組の動画が表示されているときに、リモコン６の印刷専用ボタン等によって印刷指示が発せられたとする。すると、図５に示された制御処理が実行され、プリンタ装置５によって、その印刷指示が発せられた瞬間における番組の映像（動画エリアの画像とデータエリアの画像が混在したハードコピー）が印刷用紙５３の中央に印刷され、その番組のタイトル等が印刷用紙５３のヘッダ等に印刷される。
なお、印刷制御部１９は、ＳＩ保管部１４から読み出した付加ＳＩを合成部１７に渡す際に、その項目名を併せて渡してもよい。これによって、例えば、印刷用紙５３のヘッダには、上記印字「富士山と男」に代えて、「タイトル：富士山と男」と印字される。
また、本ケースでは、印刷本体を画面イメージデータとして処理しているが、印刷本体がマークアップ言語で記述された文書であってもよい。通常、データ放送コンテンツは、マークアップ言語で書かれた文書データである。マークアップ言語としてはＢＭＬのようなＸＭＬ系のマークアップ言語、あるいはＨＴＭＬ（Ｈｙｐｅｒ−Ｔｅｘｔ  Ｍａｒｋｕｐ  Ｌａｎｇｕａｇｅ）がある。このように動画とデータ放送コンテンツとはマークアップ文書として１つの印刷本体にまとめることができる。印刷本体をマークアップ文書とする場合は、画面データ確保部１６のバッファメモリで格納するのはグラフィックプレーンのイメージでなく、データ放送コンテンツをマークアップ文書そのものにすることになる。また、合成部１７での印刷本体の合成処理は、フレームバッファの動画の１フレームよりなる静止画データをＪＰＥＧデータ等に変換しイメージ要素とし、このイメージ要素を、マークアップ文書であるデータ放送コンテンツの所定の箇所に挿入することになる。本ケースでは、合成部１７で付加ＳＩと合成して作成される印刷データもマークアップ文書とするのが効率的である。
なお、付加ＳＩ情報を「ヘッダ情報」及び「フッタ情報」として合成する方法については、ＸＨＴＭＬ−Ｐｒｉｎｔ（ＸＨＴＭＬ−Ｂａｓｉｃをプリント用に拡張する策定中のマークアップ言語）フォーラムが規格を策定中のマークアップ言語）等にみられるように「ヘッダ要素」及び「フッタ要素」として実現するとよい。こうすれば、ヘッダ情報及びフッタ情報も１つのマークアップ文書のなかに取り込むことができる。もちろん、本ケースでは、印刷データはマークアップ文書なので、プリンタ装置５のプリンタコントローラ５１はマークアップ文書を解読しラスタライズすることになる。
本ケースのように印刷データ及び印刷本体をマークアップ文書とする場合の利点として、マークアップ文書はテキストデータであるので、展開画面イメージと比べ、サイズが大幅に小さくなること等が挙げられる。このため、画面データ確保部１６のバッファメモリのサイズが小さくて済む。また、プリンタ装置５へのデータ転送時間も短くなるという利点もある。
（２）放送コンテンツに動画だけが含まれる場合
図７は、放送コンテンツに動画だけが含まれる場合における印刷データの生成プロセスを示す図である。このケースでは、デジタル放送受信装置３の印刷制御部１９は、リモコン６の印刷専用ボタンによる印刷指示を受信すると、その旨を画面データ確保部１６に通知することで、その時点でＴＶ４に表示されている映像、つまり、動画プレーンを保持（ロック）させた後に（図中の▲１▼）、表示番組ＩＤ記憶部１８に記憶されている表示番組ＩＤを読み出すことで、その時点でＴＶ４に表示されていた番組を特定する（図中の▲２▼）。そして、付加ＳＩ指定テーブル記憶部２０に格納されている付加ＳＩ指定テーブル２０ａを参照することで付加ＳＩの項目を特定した後に、前記表示番組ＩＤが示すＳＩのうち、前記付加ＳＩの内容をＳＩ保管部１４から読み出す（図中の▲４▼）。その後、印刷制御部１９に読み出された付加ＳＩと画面データ確保部１６に保持された映像とは、合成部１７で合成され、プリンタ装置５に転送されて印刷出力される。
図８は、放送コンテンツに動画だけが含まれる場合におけるＴＶ４での表示とプリンタ装置５での印刷出力との関係を示す図である。いま、ＴＶ４の画面に、ある番組の動画が表示されているときに、リモコン６の印刷専用ボタン等によって印刷指示が発せられたとする。すると、図７に示された制御処理が実行され、プリンタ装置５によって、その印刷指示が発せられた瞬間における番組の映像（動画のハードコピー）が印刷用紙５３の中央に印刷され、その番組のタイトル等が印刷用紙５３のヘッダ等に印刷される。
なお、このケースでは、放送信号にデータ放送コンテンツが含まれている必要がないので、ここでの処理は、デジタル放送だけでなく、アナログ放送についても適用できるのは言うまでもない。つまり、番組とＳＩ等の付加情報とが送信されてくるアナログ放送であれば、本デジタル放送受信装置３と同様の印刷制御機能を有するアナログ放送受信装置によって、図８の印刷例と同様の結果を得ることができる。
また、本ケースでは印刷本体を画面イメージデータとして処理しているが、上記「（１）放送コンテンツに動画とデータ放送コンテンツが含まれる場合」と同様に、印刷本体をマークアップ言語で記述された文書としてもよい。このケースでは、データ放送コンテンツがないので、データ放送コンテンツと動画とから印刷本体を合成する処理はないが、それ以外は上記「（１）放送コンテンツに動画とデータ放送コンテンツが含まれる場合」と同様である。
（３）放送コンテンツにデータ放送コンテンツだけが含まれる場合
図９は、放送コンテンツにデータ放送コンテンツだけが含まれる場合における印刷データの生成プロセスを示す図である。このケースでは、デジタル放送受信装置３の印刷制御部１９は、リモコン６の印刷専用ボタンによる印刷指示を受信すると、その旨を画面データ確保部１６に通知することで、その時点でＴＶ４に表示されている映像、つまり、データ放送コンテンツを保持（ロック）させた後に（図中の▲１▼）、表示番組ＩＤ記憶部１８に記憶されている表示番組ＩＤを読み出すことで、その時点でＴＶ４に表示されていた番組を特定する（図中の▲２▼）。そして、付加ＳＩ指定テーブル記憶部２０に格納されている付加ＳＩ指定テーブル２０ａを参照することで付加ＳＩの項目（例えば、番組の「タイトル」等）を特定した後に、前記表示番組ＩＤが示すＳＩのうち、前記付加ＳＩの内容をＳＩ保管部１４から読み出す（図中の▲４▼）。その後、印刷制御部１９に読み出された付加ＳＩ（例えば、「なにわローカル情報」等）と画面データ確保部１６に保持された映像とは、合成部１７で合成され、プリンタ装置５に転送されて印刷出力される。
なお、本実施の形態におけるデジタル放送受信装置３は、データ放送コンテンツの表現形式としては、例えば、ＢＭＬ文書データやＨＴＭＬ文書データ等を扱うことができ、プリンタ装置５に出力する印刷データのフォーマットとしてはＸＨＴＭＬ−Ｐｒｉｎｔがある。つまりデータ放送コンテンツとして送られるＢＭＬ文書、ＨＴＭＬ文書はＸＨＴＭＬ−Ｐｒｉｎｔに変換する必要がある。本ケースでは印刷本体をマークアップ言語で記述するのが合理的である。なぜならば印刷本体がマークアップ文書データであるデータ放送コンテンツのみからなるからである。
このケースだと、動画がないので印刷データの合成処理がないが、それ以外は「（１）放送コンテンツに動画とデータ放送コンテンツが含まれる場合」と同様となる。なお、画面データ確保部１６のバッファメモリに格納されるのは、マークアップ文書データそのままである必要はない。データ放送処理部１３が、マークアップ文書データをＤＯＭ（ＷＷＷ  Ｃｏｎｓｏｒｔｉｕｍが規定するＤｏｃｕｍｅｎｔ  Ｏｂｊｅｃｔ  Ｍｏｄｅｌ）ツリーと呼ぶ内部データ構造に変換し、それを画面データ確保部１６が格納してもよい。ここで、合成部１７で印刷データを合成する際に、ＤＯＭツリーからマークアップ文書データに変換する必要はある。
図１０は、放送コンテンツにデータ放送コンテンツだけが含まれ、ＢＭＬページの単位で印刷する（印刷タイプが画面ハードコピーである）場合におけるＴＶ４での表示とプリンタ装置５での印刷出力との関係を示す図である。いま、ＴＶ４の画面に、あるデータ放送の番組が表示されているときに、リモコン６の印刷専用ボタン等によって印刷指示が発せられたとする。すると、図９に示された制御処理が実行され、プリンタ装置５によって、その印刷指示が発せられた瞬間における番組の映像（画面ハードコピー）が印刷用紙５３の中央に印刷され、その番組のタイトル等が印刷用紙５３のヘッダ等に印刷される。
図１１は、放送コンテンツにデータ放送コンテンツだけが含まれ、ＨＴＭＬページの単位で印刷する場合におけるＴＶ４での表示とプリンタ装置５での印刷出力との関係を示す図である。いま、ＴＶ４の画面に、あるデータ放送の番組が表示されているときに、リモコン６の印刷専用ボタン等によって印刷指示が発せられたとする。すると、図９に示された制御処理が実行され、プリンタ装置５によって、その印刷指示が発せられた瞬間における映像に対応するＨＴＭＬページ、ここでは、２枚の画面分の表示内容から構成される１つのＨＴＭＬページの表示内容が２枚の印刷用紙５３に分割されて印刷されるとともに、その番組のタイトル等が２枚の印刷用紙５３それぞれのヘッダ等に印刷される。
（４）放送データに印刷専用データが含まれる場合
図１２は、放送データに印刷専用データが含まれる場合における印刷データの生成プロセスを示す図である。なお、印刷専用データとは、映像データとともに放送局から送信されてくる印刷専用のデータであり、予め定められたサービスの１つとして、例えば、特定の識別ＩＤを持つ情報テーブルとしてデータ放送のストリームに多重化されて送信されてくる。印刷専用データは、例えば、ＸＨＴＭＬ−Ｐｒｉｎｔで記述され、表示出力よりも印刷出力に適した長文のテキスト等の送信に用いられる。
このケースでは、デジタル放送受信装置３の印刷制御部１９は、リモコン６の印刷専用ボタンによる印刷指示を受信すると、その旨を画面データ確保部１６に通知することで、その時点でＴＶ４に表示されていた番組に関連した印刷専用データ（データ放送処理部１３で分離抽出された印刷専用データ）を保持（ロック）させた後に（図中の▲１▼）、表示番組ＩＤ記憶部１８に記憶されている表示番組ＩＤを読み出すことで、その時点でＴＶ４に表示されていた番組を特定する（図中の▲２▼）。そして、付加ＳＩ指定テーブル記憶部２０に格納されている付加ＳＩ指定テーブル２０ａを参照することで付加ＳＩの項目を特定した後に、前記表示番組ＩＤが示すＳＩのうち、前記付加ＳＩの内容をＳＩ保管部１４から読み出す（図中の▲４▼）。その後、印刷制御部１９に読み出された付加ＳＩと画面データ確保部１６に保持された印刷専用データとは、合成部１７で合成され、プリンタ装置５に転送されて印刷出力される。
図１３は、放送データに印刷専用データが含まれる場合におけるＴＶ４での表示とプリンタ装置５での印刷出力との関係を示す図である。いま、ＴＶ４の画面に、Ｌ字型表示によって、データエリアに静止画等とともに印刷専用データの印刷を指示するためのソフトボタン「印刷専用データプリント」が表示され、動画エリアにある番組の動画が表示されているときに、リモコン６の矢印ボタン等によって、ＴＶ４の画面に表示されたソフトボタン「印刷専用データプリント」を押下する旨の操作がなされたとする。すると、図１２に示された制御処理が実行され、プリンタ装置５によって、その印刷指示が発せられた瞬間における番組に対応して送信されてきた印刷専用データ（例えば、番組のあらすじを記述したテキスト等）が印刷用紙５３の中央に印刷され、その番組のタイトル等が印刷用紙５３のヘッダ等に印刷される。
これによって、視聴者は、ＴＶ４を視聴しているときに、リモコン６の印刷専用ボタンではなく、画面に表示されているソフトボタンを押下することによって、見ている番組の表示を乱すことなく、その番組に関連した詳細な付加情報等（あらすじ等）を入手することができる。
なお、このケースにおいても、リモコン６の印刷専用ボタンを押下した場合には、上記ケース（１）〜（３）と同様に、ＴＶ４の表示画面のハードコピーを得ることができる。もっとも、ハードボタンかソフトボタンかによって印刷の対象（表示画面の映像／印刷専用データ）を切り替えるのではなく、リモコン６に２種類の専用ボタンを設けて使い分ける方式であっても同様の結果を得ることができる。
また、本ケースにおいても、印刷本体をマークアップ言語で記述するのが合理的である。なぜならば印刷本体がマークアップ文書データであるデータ放送コンテンツのみからなるからである。本ケースでは「（３）放送コンテンツにデータ放送コンテンツだけが含まれる場合」で印刷本体をマークアップ言語で記述する場合と同様である。
以上のように、本実施の形態によれば、各種データが放送コンテンツとして送信されてくるいずれの場合においても、視聴者は、リモコン６で印刷指示をすることで、そのときにＴＶ４に表示されている番組の映像とともに、その番組に関連する情報（ＳＩ）がヘッダ等として付加された便利な印刷出力を得ることができる。したがって、視聴者は、出力されたプリント用紙に番組名等のメモ書きをしておくことが不要となる。
なお、本実施の形態では、番組情報として「番組ＩＤ」、「放送時間」、「タイトル」、「出演者」、「チャネル」等としているが、「番組あらすじ」であってもよい。「番組あらすじ」は長文になる可能性があるので、その場合は、後述される図２５のように印刷用紙のページ半分に「番組あらすじ」を印刷するようにしてもよい。
また、本実施の形態では、リモコン６に印刷専用ボタンを設け、それにより印刷指示をするとしたが、印刷専用ボタンを設けなくともなんらかの手段でリモコン６から印刷指示ができればよい。例えば、データダウンロードボタンや４色ボタン等の別のボタンを所定時間以上押し下げるアクションを印刷指示を与えるアクションとしてもよい。
（実施の形態２）
図１４は、本発明の実施の形態２に係る印刷システム１０１の構成を示す機能ブロック図である。この印刷システム１０１は、蓄積データを印刷の対象とするシステムである。つまり、この印刷システム１０１は、テレビ画面に表示されている映像等を番組名等の付加情報とともに印刷することができるシステムである点で実施の形態１と共通するが、既に受信されて受信機内に蓄積されている蓄積データから印刷データを生成している点で実施の形態１と異なり、アンテナ２、デジタル放送受信装置１０３、ＴＶ４、プリンタ装置５及びリモコン６から構成される。
デジタル放送受信装置１０３は、実施の形態１におけるデジタル放送受信装置３に、ストリームデータ保管部１１２、表示データ保管部１１３ａ、印刷専用データ保管部１１３ｂ及び番組情報管理部１１４からなる放送データ蓄積部１１０を追加し、付加ＳＩ指定テーブル記憶部２０に代えて付加番組情報指定テーブル記憶部１２０を備える構成からなる。なお、実施の形態１と同じ構成要素については、同一の符号を付し、その説明を省略する。
放送データ蓄積部１１０は、視聴者からの指示等に基づいて、デジタル放送受信装置１０３が受信した番組の放送データを蓄積して保管する内蔵ＨＤＤ等であり、ストリーム処理部１２でデコードされ生成された動画等のストリームデータを保管するストリームデータ保管部１１２と、データ放送処理部１３でデコードされ生成された静止画や文字等のデータ放送コンテンツを保管する表示データ保管部１１３ａと、データ放送処理部１３で分離抽出された印刷専用データを保管する印刷専用データ保管部１１３ｂと、それら３つの保管部１１２、１１３ａ及び１１３ｂに保管されているデータを番組単位で特定するインデックスとなる番組情報を記憶する番組情報管理部１１４とから構成される。
図１５は、放送データ蓄積部１１０の番組情報管理部１１４に格納されている番組情報１１４ａの例を示す図である。番組情報１１４ａは、３つの保管部１１２、１１３ａ及び１１３ｂに保管されている番組（コンテンツ）ごとの「保存ＩＤ」、「保存日時」、「コメント」、「番組ＩＤ」、「放送時間」、「タイトル」、「出演者」、「チャネル」等の集まりである。ここで、「保存ＩＤ」は、この放送データ蓄積部１１０に蓄積されている番組を識別する番号であり、「保存日時」は、この放送データ蓄積部１１０に番組を格納した日時であり、いずれも、番組の蓄積時に放送データ蓄積部１１０が記録したものであり、「コメント」は、リモコン６等を用いて視聴者が入力したテキストである。「番組ＩＤ」、「放送時間」、「タイトル」、「出演者」、「チャネル」等は、番組情報管理部１１４がＳＩ保管部１４に格納されているＳＩ１４ａから読み出したものである。
付加番組情報指定テーブル記憶部１２０は、付加番組情報とその印刷位置との組を指定するテーブル（付加番組情報指定テーブル）を記憶しているメモリ等であり、視聴者との対話によって予め設定されたり、書き換えられたりする。ここで、付加番組情報指定テーブルは、実施の形態１における付加ＳＩ指定テーブルに対応するものであり、番組情報管理部１１４に記憶されている番組情報のうち、印刷の対象として指定されているもの（例えば、番組の保存日時等）をいう。
図１６は、付加番組情報指定テーブル記憶部１２０に格納されている付加番組情報指定テーブル１２０ａの例を示す図である。この例では、印刷の対象となった番組の「保存日時」を印刷用紙５３のヘッダの左位置に印刷し、「コメント」をヘッダの中央位置に印刷し、「タイトル」をフッタの中央位置に印刷する旨の指定がされている。
なお、本実施の形態では、表示番組ＩＤ記憶部１８には、ＴＶ４に表示されている番組を識別するＩＤ、つまり、放送データ蓄積部１１０に蓄積されている番組のうち、再生するために視聴者が選択した番組を特定する保存ＩＤが格納されている。この「保存ＩＤ」は、例えば、ＴＶ４に表示された番組情報１１４ａに対して視聴者がリモコン６を用いて選択した１つの番組に対応する保存ＩＤである。
以上のように構成された本実施の形態における印刷システム１０１の動作は、基本的には、実施の形態１の印刷システム１と同様である。異なる点は、印刷の対象となるコンテンツ（動画等のストリームデータ、データ放送コンテンツ、印刷専用データ、付加番組情報）が、放送データ蓄積部１１０に格納されたもの、つまり、放送データ蓄積部１１０に蓄積されている番組のうち、視聴者が再生するために指定したコンテンツであるということである。
つまり、印刷制御部１１９は、表示番組ＩＤ記憶部１８から読み出した保存ＩＤが示す番組の番組情報のうち、付加番組情報指定テーブル記憶部１２０から読み出した付加番組情報指定テーブル１２０ａで指定されている全ての項目（付加番組情報）の内容を番組情報管理部１１４から読み出し、読み出した付加番組情報とその印刷位置を示す情報とを合成部１７に送る。
また、画面データ確保部１６は、視聴者が印刷指示を発した旨の通知を印刷制御部１９から受信すると、その時点で表示の対象となっている映像、即ち、ストリームデータ保管部１１２から読み出されたストリームデータや表示データ保管部１１３ａから読み出されたデータ放送コンテンツをストリーム処理部１２及びデータ放送処理部１３内のバッファ又は各保管部１１２及び１１３ａから読み出し、印刷の対象となる映像データとして一時的に保持する。なお、画面データ確保部１６は、ソフトボタンの押下等によって印刷専用データの印刷指示を受けた場合には、その時点で表示されている番組に対応する印刷専用データを印刷専用データ保管部１１３ｂから読み出す。
合成部１７は、印刷制御部１１９から送られてきた付加番組情報とその印刷位置を示す情報に基づいて、付加番組情報と画面データ確保部１６から読み出した映像（動画のストリームデータ、データ放送コンテンツ）又は印刷専用データとを合成することによって、印刷データを生成する。
生成された印刷データがプリンタＩ／Ｆ部２１を介してプリンタ装置５に送られ、印刷用紙５３に印刷される点は、実施の形態１と同じである。
図１７は、放送コンテンツに動画とデータ放送コンテンツが含まれる場合における印刷データの生成プロセスを示す図であり、実施の形態１における図５に対応する。実施の形態１では、印刷の対象となる付加ＳＩがＳＩ保管部１４に格納されたＳＩ１４ａから読み出されたのに対し、本実施の形態では、印刷の対象となる付加番組情報が番組情報管理部１１４に格納された番組情報１１４ａから読み出される点が異なる（図中の▲３▼、▲４▼）。
例えば、表示番組ＩＤ記憶部１８に保存ＩＤ「Ｈ１２３４」が格納され、付加番組情報指定テーブル記憶部１２０に図１６のような付加番組情報指定テーブル１２０ａが格納されている場合には、印刷制御部１１９は、番組情報管理部１１４に格納されている番組情報１１４ａの保存ＩＤを検索することで、保存ＩＤが「Ｈ１２３４」である番組のＳＩを特定し、そのＳＩの中から付加ＳＩ（保存日時「２００２／０２／２０１８：００〜１９：００」、コメント「父の録画１」及びタイトル「富士山と男」）を読み出し、それらの印刷位置（「ヘッダの左」、「ヘッダの中央」及び「フッタの中央」）とともに合成部１７に送る。
図１８は、放送データに印刷専用データが含まれる場合における印刷データの生成プロセスを示す図であり、実施の形態１における図１２に対応する。このケースについても、印刷の対象となる付加番組情報が番組情報管理部１１４に格納された番組情報１１４ａから読み出される点だけが実施の形態１と異なる（図中の▲３▼、▲４▼）。
以上のように、本実施の形態における印刷システム１０１によって、デジタル放送受信装置１０３の放送データ蓄積部１１０に蓄積された番組の再生時に視聴者がリモコン６を用いて印刷指示を発した場合には、ＴＶ４に表示されていた番組の映像又はその番組に対応する印刷専用データが印刷用紙５３に印刷されるとともに、そのヘッダやフッタ等に保存日時や番組タイトル等の付加番組情報が印刷される。したがって、視聴者は、得られた印刷用紙に手でメモ書きしておくことなく、整理・保存・他人へのプレゼントに適したハードコピーを得ることができる。
なお、本実施の形態において放送コンテンツに動画だけが含まれる場合があってもよい。
（実施の形態３）
図１９は、本発明の実施の形態３に係る印刷システム２０１の構成を示す機能ブロック図である。この印刷システム２０１は、テレビ画面に表示されている映像等を番組名等の付加情報とともに印刷することができるシステムである点で実施の形態１と共通するが、印刷される付加情報に、番組のシーン又はフレームごとの描写情報が含まれる点で実施の形態１と異なり、アンテナ２、デジタル放送受信装置２０３、ＴＶ４、プリンタ装置５及びリモコン６から構成される。
デジタル放送受信装置２０３は、ＭＰＥＧ７で規定されるＤＤＬ（Ｄｅｓｃｒｉｐｔｉｏｎ  Ｄｅｆｉｎｉｔｉｏｎ  Ｌａｎｇｕａｇｅ）記述されたシーン描写情報を含む放送データを受信するＳＴＢ等のデジタル放送受信機であり、放送受信部１０、信号分離部１１、ストリーム処理部１２、データ放送処理部１３、ＳＩ保管部２１４、映像Ｉ／Ｆ部１５、画面データ確保部１６、合成部１７、表示番組ＩＤ記憶部１８、印刷制御部２１９、付加ＳＩ指定テーブル記憶部２２０及びプリンタＩ／Ｆ部２１から構成される。実施の形態１のデジタル放送受信装置３と異なる構成要素は、ＳＩ保管部２１４、印刷制御部２１９及び付加ＳＩ指定テーブル記憶部２２０である。
ＳＩ保管部２１４は、図２０に示されるようなＳＩ２１４ａを格納している。このＳＩ２１４ａは、実施の形態１におけるＳＩ１４ａの項目に、「シーン描写情報」が追加された情報を保持している。「シーン描写情報」は、番組を構成するシーン（１以上のフレーム群）ごとの付加的な情報、例えば、そのシーンのあらましや出演者に関するテキスト等であり、ＳＩとともに放送局から送信されてきたものである。
付加ＳＩ指定テーブル記憶部２２０は、図２１に示されるように付加ＳＩ指定テーブル２２０ａを格納している。この例では、印刷の対象となった番組の「チャネル」を印刷用紙５３の右半分の第１行目の左位置に印刷し、「タイトル」を同第１行目の中央位置に印刷し、印刷の対象となった映像シーンの「シーン描写情報」を同第３行目以降に印刷する旨の指定がされている。
印刷制御部２１９は、実施の形態１における印刷制御部１９の機能に加えて、視聴者からの印刷指示が発せられた時刻を特定するタイマ部２１９ａを備え、その時刻と表示番組ＩＤ記憶部１８から読み出した表示番組ＩＤとによって特定される「シーン描写情報」をＳＩ保管部２１４のＳＩ２１４ａから読み出し、付加ＳＩとともに合成部１７に出力して印刷データに組み入れる機能を有する。
図２２は、放送コンテンツに動画だけが含まれる場合における印刷データの生成プロセスを示す図であり、実施の形態１における図７に対応する。印刷制御部２１９は、リモコン６の印刷専用ボタンによる印刷指示を受信すると、その旨を画面データ確保部１６に通知することで、その時点でＴＶ４に表示されている映像、つまり、動画プレーンを保持（ロック）させた後に（図中の▲１▼）、表示番組ＩＤ記憶部１８に記憶されている表示番組ＩＤを読み出すことで、その時点でＴＶ４に表示されていた番組を特定するとともに（図中の▲２▼）、内部のタイマ部２１９ａを参照することで、印刷指示が発せられた時刻を特定する（図中の▲３▼）。そして、付加ＳＩ指定テーブル記憶部２０に格納されている付加ＳＩ指定テーブル２０ａを参照することで付加ＳＩの項目（例えば、「シーン描写情報」等）を特定する。
このとき、図２３に示されるように、付加ＳＩが「シーン描写情報」である場合には、上記表示番組ＩＤと上記時刻とによって特定される「シーン描写情報」（例えば、「山本富士男は・・・」）をＳＩ保管部１４から読み出す（図中の▲４▼、▲５▼）。その後、読み出された付加ＳＩ（「シーン描写情報」等）と画面データ確保部１６に保持された映像とは、合成部１７で合成され、プリンタ装置５に転送されて印刷出力される。
図２４は、印刷対象となる「シーン描写情報」を特定する手順を示すフローチャートである。印刷制御部２１９は、視聴者からの印刷指示を受信すると、表示番組ＩＤ記憶部１８とタイマ部２１９ａとを参照することで、その時点でＴＶ４に表示されている番組を示す表示番組ＩＤと印刷指示時刻を特定する（ステップＳ２０）。
そして、その表示番組ＩＤに基づいて、ＳＩ保管部２１４のＳＩ２１４ａ（放送時間等）を参照することで、その番組の開始時刻を特定した後に（ステップＳ２１）、その開始時刻から上記印刷指示時刻までの経過時間を算出し、フレームレート（３０フレーム／秒等）を考慮することで、印刷指示が発せられたときにＴＶ４に表示されていたフレーム番号を特定する（ステップＳ２２）。
さらに、ＳＩ２１４ａに含まれる「シーン描写情報」のシーン情報（フレーム番号の範囲）を参照することで、上記フレーム番号が属するシーンを特定し、そのシーンの「シーン描写情報」を読み出し（ステップＳ２３）、印刷の対象（付加ＳＩ）として合成部１７に送る。
図２５は、放送コンテンツに動画だけが含まれる場合におけるＴＶ４での表示とプリンタ装置５での印刷出力との関係を示す図であり、実施の形態１における図８に対応する。この例では、付加ＳＩ指定テーブル２２０ａによって、付加ＳＩを印刷用紙５３の右半分に印刷する旨の指定がされていたために（図２１）、印刷指示が発せられた瞬間における番組の映像（動画のハードコピー）が印刷用紙５３の左半分に印刷され、その番組のタイトルや映像シーンのシーン描写情報が印刷用紙５３の右半分に印刷されている。
以上のように、本実施の形態における印刷システム２０１によって、視聴者は、ＴＶ４に表示されている映像のハードコピーだけでなく、シーンごとの詳細な情報が付加された印刷出力を得ることができる。したがって、視聴者は、同一番組の映像であっても、シーンが異なるごとに、異なるシーン描写の説明が付加された印刷出力を得ることができ、興味ある映像シーンに補足説明が追加された形式で印刷出力用紙を保存しておくことができる。
なお、本実施の形態では全シーンに対応する描写情報があることを前提としているが、全シーンに対応する描写情報は必ずしも必要でない。特徴的なシーンに対応する描写情報だけ用意しておき、シーンが特定された場合に、そのシーンに最も近いシーンの描写情報を取り出すことにしてもよい。
次に、印刷の対象となるデータ（印刷本体及び付加情報）の具体的な合成処理及び印刷データのフォーマット等に関する各種印刷形態を説明する。
図２６は、印刷本体と付加情報との合成を行う主体（デジタル放送受信装置／プリンタ装置）の相違に着目した２種類の印刷方式を示す図である。つまり、上記実施の形態では、図２６（ａ）に示されるように、印刷の対象となる画面データ等の主情報とＳＩデータ等の付加情報とはデジタル放送受信装置内で合成された後にプリンタ装置に出力されたが、図２６（ｂ）に示されるように、画面データとＳＩデータと合成指示コマンドとをそのままプリンタ装置５に転送しておき、プリンタ装置５内でそれら画面データとＳＩデータと合成指示コマンドを合成する方式であってもよい。
さらに、合成処理や展開処理を行う主体（デジタル放送受信装置又はプリンタ装置）と印刷データの種別（構成要素、データフォーマット等）とを考慮すると、以下のような４つのパターン１〜４による印刷方式が可能である。
（１）パターン１
このパターンでは、印刷データとして、３つのサブデータ、即ち、（ｉ）印刷本体データ（映像データ；イメージ形式）、（ｉｉ）付加情報（ＳＩデータ；テキスト形式）、（ｉｉｉ）印刷スクリプト（ヘッダ・フッタ印字指示）から構成する。
そして、受信装置側では以下の処理を行う。
つまり、「動画部（動画データ）」及び「データ放送部（データ放送のデータ）」は、ＴＶ画面に表示されており、それぞれ、別のフレームバッファにイメージとして存在する。そのフレームバッファを合成することで、「動画部」「データ放送部」混在イメージを印刷本体データとして生成する。合成が完了するまで両方のフレームバッファをロックし、印刷本体データはイメージバッファに保管する。印刷本体データが合成できたら、付加情報を特定して取り出す。そして、ヘッダ・フッタ印字指示を盛り込んだ印刷スクリプトを作成する。最後に、３つのサブデータができたら、まとめて印刷データとしてプリンタに送信する。
なお、印刷本体が「動画」のみの場合は動画用のフレームバッファの内容が印刷本体データになり、合成は不要となる。同様に「データ放送」のみの場合も、データ放送表示用のフレームバッファの内容が印刷本体データになり、合成は不要となる。
一方、プリンタ装置側では以下の処理を行う。
つまり、印刷データを受け取ると、まず、３つのサブデータを取り出す。そして、取り出した印刷スクリプトから、どの付加情報をどこに（ヘッダ又はフッタ）に印刷するかを特定する。特定したテキスト形式の付加情報はフォント展開して付加情報イメージとして生成する。最後に、付加情報イメージと印刷本体データ（イメージ）を合成して、印刷エンジンにデータを送りプリントする。なお、合成時にはプリンタの解像度に合わせた解像度変換が必要となる。
このようなパターン１での印刷方式によれば、受信装置側の処理が簡単になるという長所がある。つまり、印刷本体のデータ生成は画面ハードコピーを生成する機能があればそれを転用すればよい。また、表示レイアウトと印刷レイアウトとが同じになるという長所もある。表示されたイメージをそのまま印刷に使うからである。
一方、短所としては、（ｉ）テレビ表示用の低解像度イメージを印刷するので高解像度プリンタに出力したとしても印刷画像の画質が劣り、（ｉｉ）「印刷専用コンテンツ」に対応できず、（ｉｉｉ）ＨＴＭＬベースのデータ放送では画面１ページに収まらず、印刷時に画面スクロールの操作が必要とされる等の不便を生じ得る。
（２）パターン２
このパターンでは、印刷データとして、印刷本体データ（映像データ；イメージ形式）と付加情報イメージとの合成イメージで構成する。
そして、受信装置側では以下の処理を行う。
つまり、印刷本体データの合成までは、上記パターン１と同じである。そして、取り出した付加情報（テキストベース）を受信装置内蔵のフォントでイメージに展開し、それと印刷本体データとを合成する。最後に、合成イメージを印刷データとしてプリンタに送信する。
一方、プリンタ装置側では以下の処理を行う。
つまり、受け取った印刷データは、イメージデータなので、印刷エンジンにデータを送りプリントする。なお、プリンタの解像度に合わせた解像度変換をしたうえで印刷エンジンに送ってもよい。
このようなパターン１での印刷方式によれば、イメージ合成の必要がないので受信装置側の処理が簡単になるという長所がある。また、上記パターン１と同様に、表示レイアウトと印刷レイアウトとが同じになるという長所もある。
一方、短所としては、取り出した付加情報（テキストベース）のフォント展開が必要になり、上記パターン１と同様のこと（印刷画像の画質が劣ること、「印刷専用コンテンツ」に対応できないこと、及び、ＨＴＭＬベースのデータ放送画面の印刷が不便であること）等がありうる。
（３）パターン３
このパターンでは、印刷データとして、（ｉ）マークアップ言語で書かれたトップページファイル（印刷本体と付加情報との合成データ）、及び、（ｉｉ）１つ又は複数のイメージファイル（動画の静止イメージ・ボタン等）で構成する。
そして、受信装置側では以下の処理を行う。
いま、動画とデータ放送コンテンツが共存するとする（図６に示される例）。このとき、「動画部」は、上記パターン１及び２と同様に、ＴＶ画面に表示されており、動画用フレームバッファにイメージとして存在する。そして、データ放送コンテンツは、ＢＭＬやＨＴＭＬ等のマークアップ言語で書かれた文書データとして提供されるとする。
受信装置は、印刷データを受信するとＤＯＭツリーと呼ぶ内部データ構造に変換し、保管する。このＤＯＭツリーに基づいて、受信装置はデータ放送の表示を行う。ここで、文書データには、リモコンボタンの押し下げなどの外部イベント発生時のアクションがスクリプトとして記述されている。スクリプトには主にボタンの表示の切り替えアクションなどが記述されている。受信装置は、外部イベントが起こるとスクリプトで記述されるアクションに基づいて、ＤＯＭツリーを変更する。ＤＯＭツリーとデータ放送の表示とは１対１に対応するので、ＤＯＭツリーの変更結果は表示に反映される。なお、ＤＯＭツリーに関する処理、つまり、ＤＯＭツリー生成、イベント対応処理、保管処理はデータ放送処理部１３で行われる。
リモコンから印刷指示があると、画面データ確保部１６が、動画用フレームバッファとＤＯＭツリーにロックをかけ、これらの内容をバッファに保管する。同時に、印刷制御部１９は、表示番組ＩＤ記憶部１８の表示番組ＩＤに対応するＳＩ保管部１４と、関連する付加情報を特定し、ＳＩ保管部１４から取り出して保管する。ＤＯＭツリーは内部データなので、画面データ確保部１６は、これをプリンタ装置５が解読可能なＸＭＬ系文書に変換する。上記ＸＭＬ系文書のフォーマットとして、ＸＨＴＭＬ−Ｐｒｉｎｔがある。
画面データ確保部１６は、動画フレームバッファのイメージデータを、ＸＨＴＭＬ−Ｐｒｉｎｔフォーマットがサポートするイメージ形式であるＪＰＥＧフォーマットにフォーマット変換する。変換された動画フレームのイメージデータの実体は、ＪＰＥＧデータ（拡張子にＪＰＥＧの付くファイル）として印刷本体データと別に存在するが、印刷本体データからｏｂｊｅｃｔ要素として関係づけられ参照される。図２７は、印刷本体データの例を示す図である。＜！−−映像−−＞の次の行が動画フレームのイメージデータに該当する。
付加情報と印刷本体データとの合成については以下の通りである。ここでは、ヘッダとして「チャネル番号」と「番組タイトル」を、フッタとして「出演者」を付加するものとする。この場合の、付加情報と印刷本体データとを合成したデータの例は図２８に示される通りである。
図２８において、＜！−−ヘッダ−−＞の次のブロックがヘッダ部を、＜！−−フッタ−−＞の次のブロックがフッタ部を示す。この図に示された印刷データ及びイメージファイル本体がプリンタ装置に送られる。
一方、プリンタ装置側では以下の処理を行う。
つまり、受け取った印刷データは、ＸＨＴＭＬ−Ｐｒｉｎｔのインタプリタで解析させる。ＪＰＥＧデータは伸張され、テキストデータは、フォント展開されイメージ展開されて印刷エンジンに送られ、プリントされる。なお、ＪＰＥＧデータについては、プリンタの解像度に合わせた解像度変換をしたうえで印刷エンジンに送ってもよい。図２９は、このような処理で印刷された印刷出力と印刷データの関係を示す図である。
このようなパターン３での印刷方式によれば、「データ放送部」はプリンタの印字解像度で印刷されるので高画質な印刷出力が得られるという長所がある。また、ＨＴＭＬベースのデータ放送画面の印刷が簡単であるという長所もある。今後出現するであろうＨＴＭＬベースのデータ放送では、表示内容が画面１ページに収まらず画面スクロールを必要とする可能性があるが、このパターンによれば、ＤＯＭツリーはＨＴＭＬを読み込んだ時点で生成されるので、表示されていないページの印刷データをＤＯＭツリーから生成することができる。そして、表示されていない部分の印刷も可能となり、画面スクロールを繰り返しながら印刷させるという操作が不要となる。
一方、短所としては、（ｉ）表示レイアウトと印刷レイアウトに差が生じ、（ｉｉ）「印刷専用コンテンツ」に対応できない。「印刷専用コンテンツ」は読み込まれないので、ＤＯＭツリーが存在しないからである。
なお、放送コンテンツに動画のみが含まれている場合、及び、データ放送コンテンツのみが含まれている場合についても処理の流れは同様である。つまり、印刷本体データが異なるだけである。図３０は、放送コンテンツに動画のみが含まれている場合における印刷本体データの例を示し、図３１は、放送コンテンツにデータ放送コンテンツのみが含まれている場合における印刷本体データの例を示す。
（４）パターン４
このパターンでは、印刷データとして、（ｉ）マークアップ言語で書かれたトップページファイル（印刷本体と付加情報との合成データ）、及び、（ｉｉ）１つ又は複数のイメージファイル（ボタン・静止画イメージ等）で構成する。
そして、受信装置側では以下の処理を行う。
つまり、上記パターン３では印刷本体データは、ＤＯＭツリー及び動画イメージから生成したが、印刷専用コンテンツの場合では、印刷本体データは印刷専用コンテンツそのものであり、生成する必要がない。また、印刷専用コンテンツは印刷用フォーマットで送られる。なお、印刷用フォーマットとして上記パターン３と同様のＸＨＴＭＬ−Ｐｒｉｎｔがある。
印刷指示後の関連付加情報の特定・取り出し・保管及び付加情報と印刷本体データとの合成については、上記パターン３と同じである。また、プリンタ装置側での処理も上記パターン３と同じである。
このようなパターン３での印刷方式によれば、「印刷専用コンテンツ」に対応した印刷出力が可能になるという長所がある。
以上のように、本発明に係る印刷システムでは、印刷の対象となるデータ（印刷本体及び付加情報）の具体的な合成処理及び印刷データのフォーマット等を考慮すると、上記パターン１〜４で示されるような様々な印刷方式が可能であり、それぞれの長所と短所を考慮し、ユーザのニーズや用途等を勘案して具体的な方式を決定すればよい。
以上、本発明に係る印刷システムについて、実施の形態１〜３に基づいて説明したが、本発明は、これらの実施の形態に限定されるものではない。
例えば、上記実施の形態では、映像とともに印刷する付加情報及びその印刷位置は、視聴者が設定可能な付加ＳＩ指定テーブル２０ａ等によって決定されていたが、このようなテーブル方式だけに限られず、「チャネルとタイトルについてはヘッダの左位置に印刷する」というように固定されていてもよい。
また、ＴＶ画面に表示された動画をハードコピーする際には、動画の著作権の所有者を示す著作権情報を、ヘッダやフッタ等ではなく、動画そのものの上に強制的にスーパーインポーズのように透かし文字で合成して印刷するとしてもよい。特に、ハイビジョンなどの高画質な動画をハードコピーする場合には著作権上の問題が発生しやすいため、高画質な動画と著作権情報とを合成し、スタンダードな画質の動画をハードコピーする場合には合成しないとしてもよい。このように、ハードコピーされる動画が高画質な動画であるときのみ、印刷指示が発せられた瞬間における動画の一画面上に強制的に著作権情報を透かし文字で合成する場合について、図１に示した印刷システム１を例として説明する。印刷システム１では、これを実行するために新たな構成要素を追加する必要はなく、印刷制御部１９の機能に、ハードコピーされる動画が高画質であるか否かを判定して、高画質の場合には合成部１７に著作権情報を透かし文字で合成させる機能を追加し、合成部１７の機能に、印刷制御部の指示に従って透かし文字を動画上に合成する機能を追加するだけでよい。図１４に示した印刷システム１０１および図１９に示した印刷システム２０１においても同様である。図１において、このような機能を備えた印刷制御部を印刷制御部１９ａ、合成部を合成部１７ａとする。また、付加ＳＩ指定テーブル記憶部２０は、すでに説明した付加ＳＩ指定テーブルの内部に、著作権情報に相当する付加ＳＩ（チャネル、番組タイトル）とその印刷位置との組を固定的に記憶しているものとする。
図３２は、動画のハードコピー上に著作権情報を印刷する場合におけるプリンタ装置５での印刷出力を示す図である。以下では、放送コンテンツに動画だけが含まれる場合について説明する。図８に示したように、いま、ＴＶ４の画面に、ある番組（例えば、「金曜ロードショー」）の動画が表示されているときに、リモコン６の印刷専用ボタン等によって印刷指示が発せられたとする。すると、印刷制御部１９ａは、図２に示したＳＩ１４ａからその映像がハイビジョンか否かを判断した上、図７に示された制御処理を実行する。印刷指示が発せられたときの映像がハイビジョンでない場合、すでに説明したように、プリンタ装置５によって、その印刷指示が発せられた瞬間における番組の映像（動画のハードコピー）が印刷用紙５３の中央に印刷される。印刷指示が発せられたときの映像がハイビジョンの場合、動画のハードコピー上の所定の位置（例えば、動画の下部中央）に、著作権情報であるチャネル（例えば、「ＢＳ７７７」）と番組タイトル（例えば、「金曜ロードショー」）とが透かし文字で合成された動画ハードコピーが印刷用紙５３の中央に印刷される。この処理は、その番組のタイトル等を印刷用紙５３のヘッダ等に印刷するためのユーザ設定がなされていると、いないとにかかわらず強制的に実行される。
ＢＳ放送などでは、透かし文字として「白文字」が一般的に用いられているが、印刷指示が発せられた瞬間にロックされた映像上で、著作権情報が合成される位置の画像が白っぽい画像である場合には、その位置に白の透かし文字を上書きしても読み取れないことになる。透かし文字の色を変えた場合でも、同様である。例えば、透かし文字を「黒文字」に変えた場合でも、黒っぽい画像が背景になると読み取れない。
そこで、合成部１７ａは、一旦、テキストボックスに著作権情報を「白文字」で書き、テキストボックスのバックグラウンドカラーを白文字が浮き立つように選んだ上で、作成されたテキストボックスと、ロックされた映像とをα合成して印刷画像を生成する。α合成とは、透かし文字の合成などに一般的に用いられる手法で、画像と透かし文字とが重なり合う位置の輝度値をα：（１−α）の割合で加算して求める方法である。このように、透かし文字の色とコントラストが大きいバックグラウンドカラーを選んでおくことによって、ロックされた映像がどのようなものであっても、画像上にはっきりと著作権情報を印刷することができる。
図３３は、著作権情報の他の表記方法の一例を示す図である。図３２では著作権情報としてチャネルと番組タイトルとを動画上に表記した例について説明したが、例えば、図３３に示すように、著作権情報を「ｃｏｐｙｒｉｇｈｔ（ｃ）ＢＳ７７７，ａｌｌ  ｒｉｇｈｔ  ｒｅｓｅｒｖｅｄ」のように表記してもよい。この表記は、著作権情報を表示する方法として一般に広く知られている方法であるので、広く一般に著作権の所在を明示するためにより有効である。また、著作権情報を「（ｃ）ＢＳ７７７」のように表記してもよい。これにおいて、「（ｃ）」は「ｃｏｐｙｒｉｇｈｔ」の省略表記であり、「ＢＳ７７７」は放送チャネルである。著作権情報をこのように表記する場合、チャネル「ＢＳ７７７」はＳＩ１４ａから取得し、チャネル「ＢＳ７７７」以外の文字列、例えば、「ｃｏｐｙｒｉｇｈｔ（ｃ）」および「，ａｌｌ  ｒｉｇｈｔ  ｒｅｓｅｒｖｅｄ」、または「（ｃ）］などの文字列は、著作権情報を動画ハードコピー上に合成するためのプログラムの一部として、または、著作権情報を合成する都度、チャネルなどのＳＩと組み合わされる文字列として、図示しないＲＯＭなどの不揮発性メモリにあらかじめ格納しておくものとする。あるいは、付加ＳＩ指定テーブル記憶部２０またはＳＩ保管部１４などのメモリにあらかじめ記憶しておくものとする。もちろん、この場合において、チャネルだけでなく番組タイトルも併せて表記してよいことは言うまでもない。また、図３２に示したように、テキストボックスを用いて透かし文字を動画上に合成するとしてもよい。
なお、ここでは、デジタル放送受信装置３において著作権情報を示す透かし文字とハードコピーされる動画とをあらかじめ合成して印刷本体データを生成し、生成された印刷本体データをプリンタ装置５に出力する例について説明したが、図２６（ｂ）を用いて説明したように、デジタル放送受信装置３側では動画と著作権情報とを合成せずに、プリンタ装置５側でデジタル放送受信装置３からの合成指示コマンドに従って動画と著作権情報とを合成するとしてもよい。この場合、デジタル放送受信装置３からプリンタ装置５に、画面データとＳＩデータと合成指示コマンドとが出力される。これに対応して、合成指示コマンドには、著作権情報を合成するか否かを示す情報、著作権情報を合成する場合にはＳＩデータ中の著作権情報を特定するための情報、付加情報を合成するか否かを示す情報、およびＳＩデータ中の付加情報を特定する情報が含まれる。このようにプリンタ装置５では、合成指示コマンドが印刷画像の著作権を保護する旨を指示している場合、印刷画像である画面データ上に付加情報であるＳＩデータが上書きされるように画面データとＳＩデータとを合成し、プリンタ装置５が保持している印刷用フォントを用いて著作権情報の透かし文字を動画に合成することになるので、デジタル放送受信装置３に保持されているフォントを用いて合成するよりも、きれいな画質の透かし文字を印刷することができる。
なお、このケースでも、デジタル放送だけでなく、アナログ放送についても適用できるのは言うまでもない。つまり、番組とＳＩ等の付加情報とが送信されてくるアナログ放送であれば、デジタル放送受信装置３と同様の印刷制御機能を有するアナログ放送受信装置によって、図３２の印刷例と同様の結果を得ることができる。
また、本ケースでは印刷本体を画面イメージデータとして処理しているが、上記「（１）放送コンテンツに動画とデータ放送コンテンツが含まれる場合」と同様に、印刷本体をＢＭＬなどのマークアップ言語で記述された文書としてもよい。このケースでは、データ放送コンテンツがないので、データ放送コンテンツと動画とから印刷本体を合成する処理はないが、それ以外は上記「（１）放送コンテンツに動画とデータ放送コンテンツが含まれる場合」と同様である。
また、上記実施の形態では、表示番組ＩＤ記憶部１８に格納されている表示番組ＩＤによって表示番組が特定されたが、表示番組の特定方法としては、この方法に限られず、例えば、その時点で選局されているチャネルを特定する情報（チャネル情報）と、印刷指示が発せられたときの時刻とから、表示番組を特定してもよい。同様に、実施の形態３におけるシーン又はフレーム画像の特定についても、印刷指示が発せられた時点で選局されているチャネルと時刻とから、ＳＩの内容（番組ごとのチャネル、放送時間等）を参照することで、その時点で表示されていたシーン又はフレーム画像を特定してもよい。
また、上記実施の形態１等において、画面データ確保部１６は、印刷指示が発せられた旨の通知を受けた後に、印刷対象となる映像をストリーム処理部１２及びデータ放送処理部１３から読み出して保持したが、印刷指示に拘わらず、常時、ストリーム処理部１２及びデータ放送処理部１３から表示対象の動画及びデータ放送コンテンツを取得して更新することを繰り返し、印刷指示を受信ときにその取得を停止することで印刷対象データを保持してもよい。
また、上記実施の形態では、印刷指示が発せられた瞬間においてＴＶ４に表示されていた映像やその瞬間において受信された印刷専用データ等が印刷の対象となったが、本発明に係る印刷の対象は、このようなタイミングにおけるコンテンツだけに限られず、印刷指示が発せられた時点から一定時間だけ遅延又は一定時間だけ過去に遡った時点で受信・表示されているコンテンツを印刷の対象としてもよい。例えば、受信した映像をリングバッファ等に格納し、表示させるタイミングと印刷出力するタイミングを一定時間だけずらすことで、視聴者による印刷指示の操作遅延を補正したジャストタイミングな印刷出力が可能となる。
また、上記実施の形態では、ＴＶ４に表示されている画面全体が印刷の対象となったが、放送データがマークアップ言語等で記述され、画面に表示される個々のオブジェクトの単位で表示画像を区別することができるときには、例えば、視聴者との対話に用いられるボタン等の不要な表示オブジェクトを印刷の対象から削除したうえで、印刷出力を行ってもよい。
また、上記実施の形態では、映像を受信し印刷データを出力する装置は、ＳＴＢ等の放送受信装置であったが、これに代えて、携帯電話機やパソコン等の通信装置であってもよい。つまり、本発明に係る印刷システムは、放送システムだけに限らず、公衆網や通信ケーブルを介したインターネットやＣＡＴＶによる映像の配信システム等にも適用することができる。そして、上記実施の形態におけるデジタル放送受信装置が備える印刷制御機能を携帯電話機やパソコン等に組み込むことで、受信した映像や印刷専用データを付加情報とともに印刷出力することが可能となる。
例えば、インターネット上でのコンテンツ配信システムを考える。つまり、配信サーバは、映画等のコンテンツをストリーム配信するＷｅｂサーバであり、配信の対象となるコンテンツの一覧やあらましを記載したカタログ情報も提供している。そして、端末装置から、カタログ情報に記載されたコンテンツＩＤを伴った配信要求を受けると、そのコンテンツＩＤに対応するコンテンツを端末装置に配信するものとする。このようなシステムであれば、携帯電話機等の端末装置を用いて、上記実施の形態のごとく、配信されてきたコンテンツとともにそのタイトル等の付加情報をヘッダ及びフッタとして印刷することが可能になる。
具体的には、まず、携帯電話機が上記Ｗｅｂサーバにアクセスしてカタログ情報をダウンロードし、上記実施の形態におけるＳＩのごとく、ダウンロードしたカタログ情報を携帯電話機内に記憶しておく。そして、操作者は、カタログ情報の中から選択したコンテンツのＩＤをＷｅｂサーバに送信した後に、そのコンテンツの配信を受けて動画等を表示させているときに、所定の印刷操作をする。このときに、操作者が選択したコンテンツＩＤをキーとして、携帯電話機に記憶されているカタログ情報を検索することで、そのときに配信されているコンテンツの付加情報、例えば、タイトルやあらまし等を特定することができる。そして、そのときの映像を印刷本体とし、タイトル等の付加情報をヘッダ等とする印刷データを生成し、携帯電話機に接続されているプリンタ装置又はインターネット上のプリンタ装置に向けて印刷データを転送すればよい。これによって、携帯電話機の画面に表示された映像だけでなく、その付加情報がヘッダ等として印刷出力することが可能となる。
また、上記実施の形態では同一の印刷用紙に印刷画像と付加情報とを印刷するとしたが、これに限られず、印刷画像と付加情報とを別の印刷用紙に印刷し、１セットとして利用できるようにしてもよい。これは、付加情報が多い場合に有効になる。
産業上の利用の可能性
本発明に係る印刷システムは、放送システムだけに限らず、公衆網や通信ケーブルを介したインターネットやＣＡＴＶによる映像の配信システム等から映像を受信し印刷する印刷システムとして有用である。また、本発明に係るデジタル放送受信装置、携帯電話機およびパソコン等は、放送システム、公衆網や通信ケーブルを介したインターネットおよびＣＡＴＶによる映像の配信システム等から映像を受信し印刷データを出力する装置として有用である。さらに、本発明に係るプリンタ装置は、放送システム、公衆網や通信ケーブルを介したインターネットおよびＣＡＴＶによる映像の配信システム等から受信した映像を、番組情報および著作権情報などの付加情報とともに印刷するプリンタとして有用である。
【図面の簡単な説明】
図１は、本発明の実施の形態１に係る印刷システムの構成を示す機能ブロック図である。
図２は、デジタル放送受信装置のＳＩ保管部に格納されているＳＩの例を示す図である。
図３は、デジタル放送受信装置の付加ＳＩ指定テーブル記憶部に格納されている付加ＳＩ指定テーブルの例を示す図である。
図４は、印刷システムの印刷動作を示すフローチャートである。
図５は、放送コンテンツに動画とデータ放送コンテンツが含まれる場合における印刷データの生成プロセスを示す図である。
図６は、放送コンテンツに動画とデータ放送コンテンツが含まれる場合におけるＴＶでの表示とプリンタ装置での印刷出力との関係を示す図である。
図７は、放送コンテンツに動画だけが含まれる場合における印刷データの生成プロセスを示す図である。
図８は、放送コンテンツに動画だけが含まれる場合におけるＴＶでの表示とプリンタ装置での印刷出力との関係を示す図である。
図９は、放送コンテンツにデータ放送コンテンツだけが含まれる場合における印刷データの生成プロセスを示す図である。
図１０は、放送コンテンツにデータ放送コンテンツだけが含まれ、ＢＭＬページの単位で印刷する（印刷タイプが画面ハードコピーである）場合におけるＴＶでの表示とプリンタ装置での印刷出力との関係を示す図である。
図１１は、放送コンテンツにデータ放送コンテンツだけが含まれ、ＨＴＭＬページの単位で印刷する場合におけるＴＶでの表示とプリンタ装置での印刷出力との関係を示す図である。
図１２は、放送データに印刷専用データが含まれる場合における印刷データの生成プロセスを示す図である。
図１３は、放送データに印刷専用データが含まれる場合におけるＴＶでの表示とプリンタ装置での印刷出力との関係を示す図である。
図１４は、本発明の実施の形態２に係る印刷システムの構成を示す機能ブロック図である。
図１５は、デジタル放送受信装置の放送データ蓄積部の番組情報管理部に格納されている番組情報の例を示す図である。
図１６は、デジタル放送受信装置の付加番組情報指定テーブル記憶部に格納されている付加番組情報指定テーブルの例を示す図である。
図１７は、放送コンテンツに動画とデータ放送コンテンツが含まれる場合における印刷データの生成プロセスを示す図である。
図１８は、放送データに印刷専用データが含まれる場合における印刷データの生成プロセスを示す図である。
図１９は、本発明の実施の形態３に係る印刷システムの構成を示す機能ブロック図である。
図２０は、デジタル放送受信装置のＳＩ保管部に格納されているＳＩの例を示す図である。
図２１は、デジタル放送受信装置の付加ＳＩ指定テーブル記憶部に格納されている付加ＳＩ指定テーブルの例を示す図である。
図２２は、放送コンテンツに動画だけが含まれる場合における印刷データの生成プロセスを示す図である。
図２３は、シーン描写情報と映像との合成処理の流れを示す図である。
図２４は、印刷対象となる「シーン描写情報」を特定する手順を示すフローチャートである。
図２５は、放送コンテンツに動画だけが含まれる場合におけるＴＶでの表示とプリンタ装置での印刷出力との関係を示す図である。
図２６（ａ）は、印刷の対象となる画面データ等の主情報とＳＩデータ等の付加情報とをデジタル放送受信装置内で合成する場合のデータの流れを示す図である。
図２６（ｂ）は、それら画面データとＳＩデータとをそのままプリンタ装置に転送しておき、プリンタ装置内で合成する場合のデータの流れを示す図である。
図２７は、マークアップ言語で書かれたトップページファイルと１以上のイメージファイルとからなる印刷本体データの例を示す図である。
図２８は、付加情報と印刷本体データとを合成したデータの例を示す図である。
図２９は、印刷出力と印刷データの関係を示す図である。
図３０は、放送コンテンツに動画のみが含まれている場合における印刷本体データの例を示す図である。
図３１は、放送コンテンツにデータ放送コンテンツのみが含まれている場合における印刷本体データの例を示す図である。
図３２は、動画のハードコピー上に著作権情報を印刷する場合におけるプリンタ装置での印刷出力を示す図である。
図３３は、著作権情報の他の表記方法の一例を示す図である。
【図１】
2003071795.tif 000003
【図２】
2003071795.tif 000004
【図３】
2003071795.tif 000005
【図４】
2003071795.tif 000006
【図５】
2003071795.tif 000007
【図６】
2003071795.tif 000008
【図７】
2003071795.tif 000009
【図８】
2003071795.tif 000010
【図９】
2003071795.tif 000011
【図１０】
2003071795.tif 000012
【図１１】
2003071795.tif 000013
【図１２】
2003071795.tif 000014
【図１３】
2003071795.tif 000015
【図１４】
2003071795.tif 000016
【図１５】
2003071795.tif 000017
【図１６】
2003071795.tif 000018
【図１７】
2003071795.tif 000019
【図１８】
2003071795.tif 000020
【図１９】
2003071795.tif 000021
【図２０】
2003071795.tif 000022
【図２１】
2003071795.tif 000023
【図２２】
2003071795.tif 000024
【図２３】
2003071795.tif 000025
【図２４】
2003071795.tif 000026
【図２５】
2003071795.tif 000027
【図２６】
2003071795.tif 000028
【図２７】
2003071795.tif 000029
【図２８】
2003071795.tif 000030
【図２９】
2003071795.tif 000031
【図３０】
2003071795.tif 000032
【図３１】
2003071795.tif 000033
【図３２】
2003071795.tif 000034
【図３３】
2003071795.tif 000035
【国際調査報告】
2003071795.tif 000036
2003071795.tif 000037
2003071795.tif 000038
2003071795.tif 000039